(57)【要約】【課題】障子の開放操作における指挟みリスクを軽減できる建具を提供すること。【解決手段】片引き窓１は、上枠、下枠、縦枠２３，２４および中骨２５を備えた窓枠２と、上框、下框、縦框４３，４４および面材４５を備えた障子４とを備える。中骨２５は、障子４に対してＺ軸方向に対向した煙返し片部２５２と、気密材１０が装着された装着片部２５３とを有する。装着片部２５３は、Ｘ軸方向において煙返し片部２５２よりも開口部２０側に配置される。中骨２５は、戸先側の縦框４３が中骨２５に対向する状態で、装着片部２５３が縦框４３に対して指幅寸法よりも大きい見込み間隔２９を隔てて位置する構成とされている。【選択図】図５
2020122348.tif 000002
【特許請求の範囲】
【請求項１】
枠体と、前記枠体内に左右方向にスライド可能に配置された障子とを備えた建具であって、
前記枠体は、上枠と、下枠と、一方側縦枠と、他方側縦枠とを備え、
前記一方側縦枠および前記他方側縦枠の間には縦部材が配置され、
前記上枠、前記下枠、前記一方側縦枠および前記縦部材によって開口部が形成され、
前記縦部材は、前記建具の見込み方向において前記障子に対向した煙返し片部と、気密材が装着された装着片部とを有し、
前記装着片部は、左右方向において前記煙返し片部よりも前記開口部側に配置され、
前記障子は、上框、下框、戸先縦框および戸尻縦框によって構成された框体と、前記框体内に配置された面材とを備え、
前記縦部材は、少なくとも前記戸先縦框が前記縦部材に対向する状態で、前記装着片部が前記戸先縦框に対して指幅寸法よりも大きい見込み間隔を隔てて位置する構成とされている
ことを特徴とする建具。
【請求項２】
請求項１に記載の建具において、
前記開口部の全開状態では、前記戸先縦框は前記縦部材よりも前記開口部側に突出しない
ことを特徴とする建具。
【請求項３】
請求項１または請求項２に記載の建具において、
前記枠体および前記障子間には、前記障子の閉鎖移動において前記障子を前記縦部材側に移動させる引寄せ機構が構成されている
ことを特徴とする建具。
【請求項４】
請求項３に記載の建具において、
前記縦部材の前記装着片部には係合凹溝が形成され、
前記装着片部に装着される前記気密材は、前記係合凹溝に係合する気密材基部と、前記障子に当接する弾性変形可能な気密材当接部とを有し、
前記気密材基部のうち前記気密材当接部に対して前記煙返し片部側に位置する部分には、前記建具の見込み方向において前記障子側に突出した突部が形成されている
ことを特徴とする建具。
【請求項５】
請求項１から請求項４のいずれか一項に記載の建具において、
前記縦部材に対向する前記戸先縦框の見付け片部には引手が設けられ、
前記引手は、戸尻側から戸先側に向かうに連れて浅くなる開放移動操作用の指掛け溝部を有している
ことを特徴とする建具。
【請求項６】
請求項５に記載の建具において、
前記引手は、戸先側から戸尻側に向かうに連れて浅くなる閉鎖移動操作用の指掛け溝部を更に有している
ことを特徴とする建具。
【請求項７】
請求項１から請求項４のいずれか一項に記載の建具において、
前記縦部材に対向する前記戸先縦框の見付け片部には引手が設けられ、
前記引手は、引手溝部と、上下方向に沿った軸を中心として回動可能に前記引手溝部に設置された回動板とによって構成されている
ことを特徴とする建具。
【発明の詳細な説明】
【技術分野】
【０００１】
本発明は、スライド可能な障子を備える片引き窓、引き違い窓等の建具に関する。
【背景技術】
【０００２】
従来、建具として、サッシ枠の左右方向における中央部に嵌め殺し窓部（閉鎖部）を設置し、嵌め殺し窓部に対して室外側に左右の障子を設置し、嵌め殺し窓部に対して左右にある開口部を左右の障子によって片引き戸式に開閉可能に構成された窓サッシが知られている（特許文献１参照）。嵌め殺し窓部は、一対の方立と、一対の方立に保持された複層ガラスとを備えている。左右の障子は、上框、下框および左右の縦框によってガラスを保持して構成されており、戸先側の縦框（戸当たり框）の室内面には指掛け部が形成されている。このように構成された窓サッシにおいて開口部を最大開放状態（全開状態）にする場合、障子の戸先側の縦框（戸当たり框）は、嵌め殺し窓部の方立に覆われる位置まで移動される。
【先行技術文献】
【特許文献】
【０００３】
【特許文献１】特開２０１１−１５７６９１号公報
【発明の概要】
【発明が解決しようとする課題】
【０００４】
ところで、特許文献１に記載の窓サッシでは、戸先側の縦框の室内面に形成された指掛け部に手指を掛けて障子を開放操作し、障子を開放移動させた場合、この開放移動によって開口部が全開となる際に手指が方立および縦框間に挟み込まれるおそれがある。
【０００５】
本発明は、障子の開放操作における指挟みリスクを軽減できる建具を提供することを目的とする。
【課題を解決するための手段】
【０００６】
本発明の建具は、枠体と、前記枠体内に左右方向にスライド可能に配置された障子とを備えた建具であって、前記枠体は、上枠と、下枠と、一方側縦枠と、他方側縦枠とを備え、前記一方側縦枠および前記他方側縦枠の間には縦部材が配置され、前記上枠、前記下枠、前記一方側縦枠および前記縦部材によって開口部が形成され、前記縦部材は、前記建具の見込み方向において前記障子に対向した煙返し片部と、気密材が装着された装着片部とを有し、前記装着片部は、左右方向において前記煙返し片部よりも前記開口部側に配置され、前記障子は、上框、下框、戸先縦框および戸尻縦框によって構成された框体と、前記框体内に配置された面材とを備え、前記縦部材は、少なくとも前記戸先縦框が前記縦部材に対向する状態で、前記装着片部が前記戸先縦框に対して指幅寸法よりも大きい見込み間隔を隔てて位置する構成とされていることを特徴とする。
【発明の効果】
【０００７】
本発明によれば、障子の開放操作における指挟みリスクを軽減できる建具を提供することができる。
【図面の簡単な説明】
【０００８】
【図１】本発明の実施形態に係る片引き窓を示す全閉状態の外観姿図。
【図２】前記実施形態に係る片引き窓を示す全閉状態の横断面図。
【図３】前記実施形態に係る片引き窓の要部を示す全閉状態の横断面図。
【図４】前記実施形態に係る片引き窓の開放移動操作を示す横断面図。
【図５】前記実施形態に係る片引き窓の要部を示す全開状態の横断面図。
【図６】前記実施形態に係る片引き窓を示す全開状態の縦断面図。
【図７】前記実施形態に係る片引き窓の下部を示す全閉状態の縦断面図。
【図８】前記実施形態に係る片引き窓の上部を示す全閉状態の縦断面図。
【図９】前記実施形態に係る片引き窓の下ガイド機構を示す説明図。
【図１０】前記実施形態に係る片引き窓の上ガイド機構を示す説明図。
【図１１】前記実施形態に係る片引き窓の気密材を示す説明図。
【図１２】前記実施形態に係る片引き窓の引手を示す斜視図。
【図１３】図１２に示すＣ１−Ｃ１線、Ｃ２−Ｃ２線に沿った断面図。
【図１４】本発明の変形例に係る気密材を示す説明図。
【図１５】本発明の第１変形例に係る引手を示す説明図。
【図１６】本発明の第２変形例に係る引手を示す説明図。
【図１７】本発明の第３変形例に係る引手を示す説明図。
【発明を実施するための形態】
【０００９】
［本実施形態の構成］
以下、本発明の実施形態を図面に基づいて説明する。
図１〜図８において、本実施形態に係る建具である片引き窓１は、建物躯体の開口部に設置されて室内外を仕切るものであり、窓枠２（枠体）と、図１に示す左側に構成される固定窓３と、窓枠２内に左右方向にスライド可能に配置された障子４と、障子４のスライド移動において当該障子４を見込み方向に移動させるガイド機構５（引寄せ機構）とを備えている。窓枠２内のうち固定窓３よりも室外側の部分には網戸６が左右方向にスライド可能に配置されている。なお、図１では網戸６の図示を省略している。
以下の説明において、片引き窓１の左右方向をＸ軸方向とし、片引き窓１の上下方向をＹ軸方向とし、片引き窓１の見込み方向（面内外方向）をＺ軸方向とする。Ｘ，Ｙ，Ｚ軸方向はそれぞれ互いに直交する。
【００１０】
窓枠２は、上枠２１、下枠２２および左右の縦枠２３，２４を枠組みし、縦枠２３，２４間に中骨２５（縦部材）を設けて構成されている。縦枠２３は、後述する戸先側の縦框４３が当接する一方側縦枠（戸先縦枠）であり、縦枠２４は、障子４に対して戸尻側に位置する他方側縦枠（戸尻縦枠）である。上枠２１には、障子４をＸ軸方向にスライド案内する上レール２１１（図８参照）が形成されており、下枠２２には、障子４をＸ軸方向にスライド案内する下レール２２１（図７参照）が形成されており、縦枠２３には後述する気密材１０が装着される装着見付け片部２０１が形成されていると共に錠受け７２が取り付けられている。中骨２５は、概ね中空矩形状に形成されており、上枠２１および下枠２２の長手方向（Ｘ軸方向）における略中間位置（図１参照）に配置されている。中骨２５の室内見付け片部２５１（障子４に対向する対向片部）には、室外側に延出し且つ戸尻側に折曲された断面略Ｌ字形状の煙返し片部２５２が形成されており、煙返し片部２５２よりも戸先側（開口部２０側）の部分は後述する気密材１０が装着された装着片部２５３として構成されている。装着片部２５３には気密材１０が係合する係合凹溝２５４が形成されている。
固定窓３は、複層ガラス等からなる面材３１の周縁が上枠２１、下枠２２、縦枠２４および中骨２５に形成される開口に嵌め殺しされて構成されている。この固定窓３によって窓枠２内のうち略左側半分（図１参照）が閉鎖された閉鎖部３０が構成されている。また、窓枠２内のうち略右側半分は、上枠２１、下枠２２、縦枠２３および中骨２５によって室内外につながった開口部２０が構成されており、窓枠２のうち開口部２０の周囲を囲む部分における室内面に気密材１０が装着されている。
【００１１】
障子４は、上框４１、下框４２、左右の縦框４３，４４および複層ガラス等からなる面材４５を框組みして構成されている。縦框４３が戸先縦框であり、縦框４４が戸尻縦框である。
縦框４３は、図２および図３に示すように、室外見付け片部４３１、見込み片部４３２，４３３および室内見付け片部４３４を有しており、室外見付け片部４３１、見込み片部４３２および室内見付け片部４３４によって縦溝部４３５が形成されている。室外見付け片部４３１には引手８が設けられており、室内見付け片部４３４には操作ハンドル９が設けられており、縦溝部４３５には、縦枠２３の錠受け７２と係合可能な錠部材７１（本実施形態ではグレモン錠）が設けられており、錠部材７１および錠受け７２によって錠装置が構成されている。錠部材７１は、図示しない連動機構によって操作ハンドル９と連結されており、操作ハンドル９の操作によって錠受け７２と係合し、また、係合解除する構成とされている。縦框４３の室外見付け片部４３１は、開口部２０の全閉状態では、図３に示すように縦枠２３の装着見付け片部２０１に対してＺ軸方向に対向して配置され、且つ、装着見付け片部２０１に装着された気密材１０に当接する。
縦框４４は、概ね中空矩形状に形成されており、その室外面４４１には中骨２５の煙返し片部２５２に係合する断面略コ字状の係合部材４４２が形成されている。係合部材４４２は、障子４の開放移動によって煙返し片部２５２から外れ、障子４の閉鎖移動によって煙返し片部２５２に係合する。
下框４２は、図６および図７に示すように、室外見付け片部４２１、上下の見込み片部４２２，４２３および室内見付け片部４２４を有しており、下方側の見込み片部４２３には可傾戸車４６が配置された戸車用の孔（図示省略）が形成されている。
可傾戸車４６は、下レール２２１に載せられている。ここで、可傾戸車４６は、Ｘ軸方向に沿った仮想軸を中心として図６に示す直立状態から図７に示す傾斜状態まで室外側に傾動可能に配置されている。また、可傾戸車４６には、障子４の面材４５等の自重に基づいて傾斜状態から直立状態へ復帰する方向の力が与えられている。このため、障子４が開放移動されてガイド機構５による室外側への引き寄せが解除されることで、傾斜状態から直立状態へ自動復帰する。これにより、障子４はその開放移動に伴って閉鎖状態における見込み位置から室内側へ４ｍｍほど移動するようになっている。
上框４１は、図６および図８に示すように、室外見付け片部４１１、上下の見込み片部４１２，４１３および室内見付け片部４１４を有しており、室外見付け片部４１１、見込み片部４１２および室内見付け片部４１４によって上方に開口した上溝部４１５が形成されている。上溝部４１５には上枠２１の上レール２１１が配置されている。
【００１２】
ガイド機構５は、図８および図１０に示す上ガイド機構５０と、図７および図９に示す下ガイド機構６０と、図３に示す戸先側引寄せ機構９０および戸尻側引寄せ機構９５とを備えており、本実施形態では下ガイド機構６０、戸先側引寄せ機構９０および戸尻側引寄せ機構９５によって障子を室外側へ引き寄せる引寄せ機構が構成されている。
戸先側引寄せ機構９０は、錠部材７１の先端部に形成された引寄せ面９１によって構成されている。引寄せ面９１は、その戸先側縁部が戸尻側縁部よりも室外側に位置するようにＸ軸方向に対して傾斜しており、障子４の閉鎖移動において引寄せ面９１が錠受け７２の先端部に摺接しながら縦框４３を室外側に４ｍｍほど移動させて気密材１０に密着させる。
戸尻側引寄せ機構９５は、縦框４４の係合部材４４２の先端部に形成された引寄せ面９６によって構成されている。引寄せ面９６は、その戸先側縁部が戸尻側縁部よりも室外側に位置するようにＸ軸方向に対して傾斜しており、障子４の閉鎖移動において引寄せ面９６が煙返し片部２５２の先端部に摺接しながら縦框４４を室外側に４ｍｍほど移動させて気密材１０に密着させる。
【００１３】
下ガイド機構６０は、図７および図９に示すように、下框４２の室外見付け片部４２１に取り付けられた摺動部材６１と、下枠２２の見込み片部２２２に取り付けられて下レール２２１の室外面に当てられた引寄せ部材６４とを備えている。摺動部材６１および引寄せ部材６４は樹脂製材料によってそれぞれ形成されている。
摺動部材６１は室内側へ突出した突出部を有している。摺動部材６１は、下框４２の室外見付け片部４２１の長手方向における中央部分に形成された切欠き部分に嵌め込まれており、その突出部が室外見付け片部４２１から室内側に突出して配置されている。
引寄せ部材６４は、その室外側頂点が開口部２０の全閉状態において摺動部材６１の突出部の室内側頂点と対向する位置に配置されている。
この下ガイド機構６０では、障子４のスライド移動によって摺動部材６１が引寄せ部材６４に対してＸ軸方向に移動する。障子４が全閉位置から戸尻側に所定距離離れた位置で移動する場合には、摺動部材６１の突出部は引寄せ部材６４と非当接状態となっており、このため、下ガイド機構６０は障子４を室外側に引き寄せ案内しない。また、障子４が前記離れた位置よりも戸先側の位置で移動する場合には、摺動部材６１の突出部は引寄せ部材６４と当接状態となっており、このため、下ガイド機構６０は障子４を室外側に引き寄せ案内する。
【００１４】
上ガイド機構５０は、図８および図１０に示すように、縦框４３，４４の上端にキャップ部材として取り付けられた左右の摺動部材５２と、上レール２１１に取り付けられる左右の窪み部材５５とを備えている。各窪み部材５５は、上レール２１１の切欠き部分にそれぞれ装着されている。摺動部材５２および窪み部材５５は、樹脂製材料によってそれぞれ形成されている。
左右の摺動部材５２のそれぞれは、図１０に示すように、一対の側片部５２１，５２２および底片部５２３を有して溝部５２４を形成しており、この溝部５２４は上溝部４１５とＸ軸方向に連なっている。側片部５２１に対して室内側に位置する側片部５２２には、室外側に突出した突出部５２５が形成されている。
左右の窪み部材５５には室外側に窪んだ窪み部５５１が形成されており、窪み部５５１は開口部２０の全閉状態で左右の摺動部材５２の突出部５２５に対向する位置に配置されている。
この上ガイド機構５０では、障子４のスライド移動によって左右の摺動部材５２が左右の窪み部材５５に対してＸ軸方向に移動する。障子４が全閉位置から戸尻側に所定距離離れた位置で移動する場合には、左右の摺動部材５２の突出部５２５は上レール２１１に摺接して障子４をＸ軸方向に案内する。また、障子４が前記離れた位置よりも戸先側の位置で移動する場合には、左右の摺動部材５２の突出部５２５は左右の窪み部材５５の窪み部５５１に入り込む。これにより、前述した引寄せ機構による障子４の室外側への引き寄せが可能な状態となる。
【００１５】
前述した気密材１０は樹脂製であり、図１１（Ａ）および図１１（Ｂ）に示すように、気密材基部１１と、気密材基部１１よりも軟質な樹脂材料によって形成された弾性変形可能な環状の気密材当接部１２とを有している。図１１（Ａ）は障子４に押し潰されていない状態の気密材１０を示しており、図１１（Ｂ）は障子４に押し潰された状態を示している。気密材基部１１は、表面に気密材当接部１２が取り付けられた平板状の本体基部１１１と、本体基部１１１の裏面から延出した係合爪部１１２と、本体基部１１１の表面における一方側縁側から突出した突部１１３とを有している。突部１１３と気密材当接部１２との間には、気密材当接部１２の所定範囲の潰れ変形を許容するための間隙１１４が設けられている。突部１１３は、気密材当接部１２の側部に対向する受け面１１３Ａを有している。受け面１１３Ａは、その先端が基端よりも気密材当接部１２から離れた位置となるように突部１１３の突出したＡ方向に対して傾斜しており、このように傾斜することで、もし砂や水が気密材当接部１２を乗り越えて浸入した場合にこれらを排水経路へ誘導できる。突部１１３のＡ方向における突出寸法１１５は気密材当接部１２のＡ方向における寸法１１６よりも小さい寸法であって、気密材当接部１２が図１１（Ｂ）に示すように障子４に押されて所定量潰れた際（本実施形態では４ｍｍほど潰れた際）に障子４に干渉しない範囲で大きい寸法とされている。なお、例えば施工誤差や気密材１０の取付相手部材に反りなどが発生した場合には、突部１１３が障子４に当接することがあるが、この当接によって気密材当接部１２が過度に潰されて永久圧縮ひずみが発生することを抑制できる。
このように形成された気密材１０は、係合爪部１１２が中骨２５の係合凹溝２５４に係合されて装着片部２５３に装着される。このとき、突部１１３は気密材当接部１２に対して煙返し片部２５２側に配置される。
また、前述同様に形成された他の気密材１０は、上枠２１、下枠２２および縦枠２３（装着見付け片部２０１）に装着されている。各気密材１０の端部はそれぞれ突き合わされており、これにより、開口部２０の周囲を囲っている。また、気密材基部１１の突部１１３は、気密材当接部１２に対して外周側に配置されている。このため、気密材当接部１２が外周側に弾性変形して、各気密材１０の端部間にピンホールが形成されることが抑制される。
【００１６】
前述した引手８は、本実施形態では図１２に示すように、上下で形状が異なる二つの指掛け溝部８１，８２を有している。図１３（Ａ）は指掛け溝部８１の断面図であり、図１３（Ｂ）は指掛け溝部８２の断面図である。
指掛け溝部８１，８２は、底面８３Ａ，８３Ｂ、側面８４Ａ，８４Ｂ（指掛け面）および傾斜側面８５Ａ，８５Ｂ（指抜きガイド面）によって形成されており、側面８４Ａ，８４Ｂは底面８３Ａ，８３Ｂに対して略垂直に立ち上げられており、傾斜側面８５Ａ，８５Ｂは底面８３Ａ，８３Ｂから離れるに連れて指掛け溝部８１，８２が浅くなるようにＢ方向（引手８の左右方向）に対してそれぞれ傾斜している。
指掛け溝部８１，８２は左右逆向きに形成されている。指掛け溝部８１では、引手８の縦框４３への設置状態で側面８４Ａが戸先側に位置し且つ傾斜側面８５Ａが戸尻側に位置する。このため、指掛け溝部８１は閉鎖移動操作用の指掛け溝部として構成され、戸先側から戸尻側に向かうに連れて浅くなっている。また、指掛け溝部８１に対して下方に位置する指掛け溝部８２は、引手８の縦框４３への設置状態で側面８４Ｂが戸尻側に位置し、傾斜側面８５Ｂが戸先側に位置する。このため、指掛け溝部８１は開放移動操作用の指掛け溝部として構成され、戸尻側から戸先側に向かうに連れて浅くなっている。
【００１７】
以上の片引き窓１において、開口部２０の全閉状態では中骨２５に対して戸尻側の縦框４４がＺ軸方向に対向して配置される。この状態における中骨２５の装着片部２５３と縦框４４の室外面４４１のうち前記装着片部２５３と対向する対向面４４３との間の見込み間隔２８の寸法Ｌ１は、操作者の手指１５（図３，４参照）の指幅寸法よりも小さい寸法であり、本実施形態では９ｍｍに設定されている。
また、開口部２０の全開状態（図５参照）では中骨２５に対して戸先側の縦框４３がＺ軸方向に対向して配置される。この状態における中骨２５の装着片部２５３と縦框４３の室外見付け片部４３１との間の見込み間隔２９の寸法Ｌ２は、前述した指幅寸法よりも大きい寸法とされている。ここで、指幅寸法は、ＡＳＴＭ基準（ＡＳＴＭ：Ａｍｅｒｉｃａ  Ｓｏｃｉｅｔｙ  ｆｏｒ  Ｔｅｓｔｉｎｇ  ａｎｄ  Ｍａｔｅｒｉａｌｓ（米国材料試験協会））に基づいて設定され、寸法Ｌ２は１３ｍｍ以上、本実施形態では１３ｍｍに設定される（ＡＳＴＭ  Ｆ  ９６３−０３「８歳未満の子供の指を挟み込まない」）。なお、前述したＡＳＴＭ基準では、８歳未満の子供の手指１５の指幅寸法を想定しているが、これに限られず、８歳以上の手指１５の指幅寸法を本実施形態における指幅寸法としてもよい。この場合でも、寸法Ｌ２は指幅寸法よりも大きい寸法に設定される。
【００１８】
本実施形態に係る片引き窓１の開放動作は次の通りである。
まず、図３に示すように閉鎖位置にある障子４の引手８の指掛け溝部８２における側面８４Ｂに手指１５を掛けてから、障子４を戸尻側に開放移動する。この開放移動により、下ガイド機構６０の摺動部材６１は引寄せ部材６４からＸ軸方向に外れて下レール２２１に摺動可能に当接し、上ガイド機構５０の摺動部材５２の突出部５２５は、窪み部材５５の窪み部５５１からＸ軸方向に外れて上レール２１１に摺動可能に当接し、係合部材４４２は煙返し片部２５２から外れる。このとき、可傾戸車４６は、障子４の自重によって傾斜状態から直立状態へ復帰する。このように開放移動することで引き寄せ機構による室外側への引寄せは解除されて障子４はＺ軸方向において室内側へ４ｍｍほど移動し、気密材１０から離れる。
続けて障子４を開放移動すると、図４に示すように戸先側の縦框４３が中骨２５と見込み方向に重なりはじめる。このとき、中骨２５の装着片部２５３および縦框４３の室外見付け片部４３１の間の見込み間隔２９は前述したようにＺ軸方向において１３ｍｍ以上の寸法Ｌ２となっているので、中骨２５および縦框４３の間に指逃げ空間が形成される。ここで、もし手指１５が中骨２５および縦框４３の間に入り込んでも、装着片部２５３に装着された気密材１０が緩衝材として機能し且つ手指１５が指逃げ空間に逃げ込むので、手指１５が中骨２５および縦框４３の間に挟み込まれて潰される指挟みリスクが軽減される。また、もし手指１５を引手８から引き抜くタイミングが遅れても、手指１５が指掛け溝部８２の傾斜側面８５Ｂに案内されながら室外側へ抜き出される。
最後に、障子４の慣性移動または縦框４３を戸尻側へ押すことによって障子４を図５に示す全開位置に配置し、開口部２０を全開放する。全開位置では、障子４は引き残しを残さずに固定窓３に対する室内側に納まっており、縦框４３の室外見付け片部４３１および室内見付け片部４３４の戸先側縁は、中骨２５の開口部２０を規定する見込み面２５５に沿った仮想直線上に位置するので、縦框４３は中骨２５よりも開口部２０側に突出しない配置となる。このようにして、障子４は図５に示す全開位置に配置され、開口部２０は最大開放される。
【００１９】
本実施形態に係る片引き窓１の閉鎖動作は次の通りである。
まず、図５に示すように全開位置にある障子４の操作ハンドル９や縦框４３の室外見付け片部４３１、室内見付け片部４３４などを手で掴んで障子４を戸先側へ引き出し、引手８が開口部２０に現れてきたら手指１５を指掛け溝部８１の側面８４Ａに掛け、障子４を戸先側へ閉鎖移動する。
続けて障子４を閉鎖移動すると、ガイド機構５によって障子４が室外側へ引き寄せられる。具体的には、上ガイド機構５０の摺動部材５２の突出部５２５が窪み部材５５の窪み部５５１に入り込むことで障子４が室外側へ移動可能な状態となる一方、下ガイド機構６０の摺動部材６１が引寄せ部材６４に当接し、錠部材７１の先端部に形成された戸先側引寄せ機構９０の引寄せ面９１が錠受け７２の先端部に当接し、且つ、係合部材４４２の先端部に形成された戸尻側引寄せ機構９５の引寄せ面９６が煙返し片部２５２の先端部に当接する。この状態で障子４が閉鎖移動することで、障子４は、下ガイド機構６０、戸先側引寄せ機構９０および戸尻側引寄せ機構９５によって室外側へ４ｍｍほど移動される。このとき、可傾戸車４６は直立状態から傾斜状態となり、上框４１、下框４２および左右の縦框４３，４４は気密材１０に押し当てられて密着する。このようにして、障子４は図３に示す全閉位置に配置され、開口部２０は閉鎖される。
【００２０】
[変形例]
前記実施形態では、窓枠２に装着された気密材１０は、環状の気密材当接部１２を有しているが、この形状に限らない。例えば、気密材１０は、図１４（Ａ）に示すヒレ状の気密材当接部１２Ａを有していてもよく、図１４（Ｂ）に示すホロー部および二つのヒレ部を有した気密材当接部１２Ｂを有していてもよく、また、図１４（Ｃ）に示すように中実の気密材当接部１２Ｃを有していてもよい。また、気密材１０の気密材基部１１には、気密材当接部１２の側方で突出した突部１１３が形成されており、この突部１１３に傾斜した受け面１１３Ａが形成されているが、傾斜せずに本体基部１１１から真っ直ぐな受け面とされていてもよい。更に、気密材当接部１２の潰れ変形を抑制する必要がない場合には、突部１１３の構成を省略してもよい。
前記実施形態では、引手８は上下に指掛け溝部８１，８２の間には、傾斜側面８５Ａ，８５Ｂの配置が互いに異なるため段差面が形成されるが、例えば図１５に示す第１変形例のように指掛け溝部８１，８２同士が連続する段差面８６Ａ，８６Ｂが底面８３Ａ，８３Ｂおよび傾斜側面８５Ａ，８５Ｂに対して緩やかな傾斜面によって形成された引手８Ａを採用してもよい。また、図１６に示す第２変形例に係る引手８Ｂを採用してもよい。図１６（Ａ）は引手８Ｂの斜視図であり、図１６（Ｂ）はＣ３−Ｃ３線に沿った断面図である。引手８Ｂでは、指掛け溝部８１，８２が上下ではなく左右に隣り合って配置されており、傾斜側面８５Ａ，８５Ｂ同士が連続している。
更に、図１７に示す第３変形例に係る引手８Ｃを採用してもよい。図１７（Ａ）は引手８Ｃの斜視図であり、図１７（Ｂ）は引手８ＣのＣ４−Ｃ４線に沿った断面図である。引手８Ｃは、一対の側面８７１，８７２および底面８７３によって形成された引手溝部８７と、Ｙ軸方向に沿った軸８８を中心としてＲ方向に回動可能に引手溝部８７に設置された回動板８９とによって構成されている。この引手８Ｃでは、回動板８９がＲ方向において一方側に回動して側面８７１が露出した第一状態と、回動板８９がＲ方向において他方側に回動して側面８７２が露出した第二状態とを切り替えられる。このため、手指１５を引手溝部８７に差し込むことで回動板８９を任意の向きに回動させることで、側面８７１，８７２のいずれにも手指１５を掛けることができ、更に、第一状態では引手８Ｃの左右において側面８７１とは反対側に傾斜側面が形成されて溝深さが漸減する指掛け溝部８１を構成でき、第二状態では引手８Ｃの左右において側面８７２とは反対側に傾斜側面が形成されて溝深さが漸減する指掛け溝部８２を構成できる。
前記実施形態では、引手８に傾斜側面８５Ａ，８５Ｂが形成されているが、傾斜側面８５Ａ，８５Ｂではなく側面８４Ａ，８４Ｂと同様の側面が形成された一般的な形状の引手を採用してもよい。
前記実施形態における窓枠２の各枠材および障子４の各框材は、アルミ押出形材によって形成されていてもよく、樹脂押出形材によって形成されていてもよく、また、アルミ樹脂複合形材によって形成されていてもよく、各種の形材を採用できる。
前記実施形態では、障子４が固定窓３に対して室内側に配置される構成としたが、これとは逆に、障子４が固定窓３に対して室外側に配置される構成とされてもよい。
前記実施形態では、片引き窓１を建具として説明したが、引き違い窓であってもよく、この場合、開口部２０を規定する縦部材は前述した中骨２５ではなく召合せ框によって構成される。
前記実施形態では、縦部材である中骨２５を、上枠２１および下枠２２の長手方向（Ｘ軸方向）における略中間位置に配置していたが、中間位置以外に設けてもよい。例えば、片引き窓において、固定窓の幅寸法が障子の幅寸法の２倍程度の場合は、中骨をＸ軸方向において縦枠２３側から略１／３の位置に配置すればよい。
また、縦部材の本数も１本に限定されず、２本以上でもよい。例えば、中央に固定窓が配置され、左右にそれぞれ可動障子を配置した両袖片引き窓では、２本の縦部材間に固定窓が配置される。
【００２１】
[本発明のまとめ]
本発明の建具は、枠体と、前記枠体内に左右方向にスライド可能に配置された障子とを備えた建具であって、前記枠体は、上枠と、下枠と、一方側縦枠と、他方側縦枠とを備え、前記一方側縦枠および前記他方側縦枠の間には縦部材が配置され、前記上枠、前記下枠、前記一方側縦枠および前記縦部材によって開口部が形成され、前記縦部材は、前記建具の見込み方向において前記障子に対向した煙返し片部と、気密材が装着された装着片部とを有し、前記装着片部は、左右方向において前記煙返し片部よりも前記開口部側に配置され、前記障子は、上框、下框、戸先縦框および戸尻縦框によって構成された框体と、前記框体内に配置された面材とを備え、前記縦部材は、少なくとも前記戸先縦框が前記縦部材に対向する状態で、前記装着片部が前記戸先縦框に対して指幅寸法よりも大きい見込み間隔を隔てて位置する構成とされていることを特徴とする。
本発明の建具によれば、戸先縦框が縦部材に対向する状態で、縦部材の装着片部が戸先縦框に対して指幅寸法よりも大きい見込み間隔を隔てて位置するので、装着片部および戸先縦框の間に指逃げ空間が形成される。このため、例えば戸先縦框を開放操作する手指を縦部材の装着片部と戸先縦框との間に差し込んでしまっても、前述した指逃げ空間に手指を逃げ込ませることができ、縦部材および戸先縦框の間に手指が挟み込まれる指挟みリスクを軽減できる。また、前述した煙返し片部があることで、手指が縦部材および戸先縦框の間に深く差し込まれることを抑制できる。更に、装着片部に装着された気密材が手指に当たる緩衝材としての機能を発揮できる。加えて、装着片部および戸先縦框の見込み間隔を指幅寸法よりも大きい寸法となるように縦部材を構成するだけでよく、縦部材および戸先縦框間の見込み間隔を大きくするために枠体の見込み寸法を大きくする必要がない。
【００２２】
本発明の建具では、前記開口部の全開状態では、前記戸先縦框は前記縦部材よりも前記開口部側に突出しないものでもよい。
このような構成によれば、障子を開放移動により全開位置に配置することで、例えば戸先縦框が縦部材よりも開口部側に突出する場合と比べて、開口部の有効開口面積を大きくとることができる。
【００２３】
本発明の建具では、前記枠体および前記障子間には、前記障子の閉鎖移動において前記障子を前記縦部材側に移動させる引寄せ機構が構成されていてもよい。
このような構成によれば、開口部が開放されて縦部材と戸先縦框とが対向する状態では、前述したように縦部材の装着片部と戸先縦框との間に指幅寸法よりも大きい見込み間隔を形成できて指挟みリスクを軽減できる一方、開口部が閉鎖されて縦部材と戸尻縦框が対向する状態では、引寄せ機構によって障子が縦部材側に接近されているので、装着片部に装着された気密材に戸尻縦框を密着させることできて気密性を保つことができる。
【００２４】
本発明の建具では、前記縦部材の前記装着片部には係合凹溝が形成され、前記装着片部に装着される前記気密材は、前記係合凹溝に係合する気密材基部と、前記障子に当接する弾性変形可能な気密材当接部とを有し、前記気密材基部のうち前記気密材当接部に対して前記煙返し片部側に位置する部分には、前記建具の見込み方向において前記障子側に突出した突部が形成されていてもよい。
このような構成によれば、気密材当接部に障子が当接して弾性変形しても、気密材基部の突部によって気密材当接部を受けることができ、このように受けることで気密材当接部が過度に変形することを抑制できる。これにより、障子を気密材当接部に好適に密着させることができて気密性を保つことができる。
【００２５】
本発明の建具では、前記縦部材に対向する前記戸先縦框の見付け片部には引手が設けられ、前記引手は、戸尻側から戸先側に向かうに連れて浅くなる開放移動操作用の指掛け溝部を有していてもよい。
このような構成によれば、引手の指掛け溝部に手指を掛けることで障子を簡単に開放移動操作でき、障子の開放移動において戸先縦框が縦部材と重なっていく際に手指を指掛け溝部から引き抜くタイミングが遅れても、前述したように指掛け溝部が戸尻側から戸先側に向かうに連れて浅くなっているので当該指掛け溝部から抜き出し案内でき、これにより、障子の開放移動操作において手指が引手および縦部材によって挟まれる指挟みリスクを軽減できる。
【００２６】
本発明の建具では、前記引手は、戸先側から戸尻側に向かうに連れて浅くなる閉鎖移動操作用の指掛け溝部を更に有していてもよい。
このような構成によれば、閉鎖移動操作用の指掛け溝部に手指を掛けることで障子を簡単に閉鎖移動操作できるうえ、この指掛け溝部が戸先側から戸尻側に向かうに連れて浅くなっていて障子を開放移動操作しにくい構成とされているので、操作者が障子の開放移動操作時に手指を掛ける箇所を間違えにくい構成にできる。このため、障子の開放操作時に手指が閉鎖移動操作用の指掛け溝部と縦部材との間に挟まれるおそれを低減できる。
【００２７】
本発明の建具では、前記縦部材に対向する前記戸先縦框の見付け片部には引手が設けられ、前記引手は、引手溝部と、上下方向に沿った軸を中心として回動可能に前記引手溝部に設置された回動板とによって構成されていてもよい。このような構成によれば、障子の開放移動操作時には、引手溝部のうち戸尻側部分に手指を差し込んで回動板を回動させることで、戸尻側から戸先側に向かうに連れて浅くなる開放移動操作用の指掛け溝部を構成できる。また、障子の閉鎖移動操作時には、引手溝部のうち戸先側部分に手指を差し込んで回動板を回動させることで、戸先側から戸尻側に向かうに連れて浅くなる閉鎖移動操作用の指掛け溝部を構成できる。
【符号の説明】
【００２８】
１…片引き窓、１０…気密材、１１…気密材基部、１２，１２Ａ〜１２Ｃ…気密材当接部、２…窓枠、２０…開口部、２１…上枠、２２…下枠、２３，２４…縦枠（一方側縦枠、他方側縦枠）、２５…中骨（縦部材）、２８，２９…見込み間隔、２５２…煙返し片部、２５３…装着片部、３０…閉鎖部、４…障子、４１…上框、４２…下框、４３，４４…縦框（戸先縦框、戸尻縦框）、４５…面材、８，８Ａ〜８Ｃ…引手、Ｌ１，Ｌ２…見込み間隔の寸法。
【図１】
2020122348.tif 000003
【図２】
2020122348.tif 000004
【図３】
2020122348.tif 000005
【図４】
2020122348.tif 000006
【図５】
2020122348.tif 000007
【図６】
2020122348.tif 000008
【図７】
2020122348.tif 000009
【図８】
2020122348.tif 000010
【図９】
2020122348.tif 000011
【図１０】
2020122348.tif 000012
【図１１】
2020122348.tif 000013
【図１２】
2020122348.tif 000014
【図１３】
2020122348.tif 000015
【図１４】
2020122348.tif 000016
【図１５】
2020122348.tif 000017
【図１６】
2020122348.tif 000018
【図１７】
2020122348.tif 000019